(57)【要約】      （修正有）【課題】点灯時における突入電流による影響を軽減して、ＬＥＤ器具の点灯動作の安定化を図ることのできる照明制御装置を提供する。【解決手段】照明制御システム１は、調光回路と電源回路とＬＥＤ光源を有する複数のＬＥＤ器具と、前記電源回路のオン／オフを制御するための複数の電源制御端末器と、中央制御装置２とを備える。中央制御装置２は、複数のＬＥＤ器具中の２以上のＬＥＤ器具に対して点灯の指示があったとき、２以上のＬＥＤ器具に対応する複数の電源制御端末器に対する電源制御データを所定時間遅らせて順次伝送するように制御する。【選択図】図１
2012160402.tif 000002
【特許請求の範囲】
【請求項１】
伝送ラインに接続され、この伝送ラインを介して伝送された制御データに基づきＬＥＤ光源の照明度が制御される、アドレスが割り振られた照明用器具であって、供給された制御データに基づき指定された調光度に対応する駆動制御信号を出力する調光回路と、この調光回路からの駆動制御信号に基づき前記ＬＥＤ光源に駆動電圧を印加するための電源回路とを有する複数のＬＥＤ器具と；
アドレスが割り振られて前記伝送ラインに接続され、前記伝送ラインを介して伝送された電源制御データに基づき前記電源回路のオン／オフを制御するための複数の電源制御端末器と；
前記複数のＬＥＤ器具及び前記複数の電源制御端末器と前記伝送ラインを介して通信を行うことにより前記複数のＬＥＤ器具及び前記複数の電源制御端末器を制御するものであって、前記複数のＬＥＤ器具中の２以上のＬＥＤ器具に対して点灯の指示があったとき、前記２以上のＬＥＤ器具に対応する複数の電源制御端末器に対する前記電源制御データを所定時間遅らせて順次伝送するように制御する中央制御装置と；
を具備したことを特徴とする照明制御システム。
【請求項２】
前記電源制御端末器は、複数の前記ＬＥＤ器具毎に設けられて、これら複数のＬＥＤ器具の各前記電源回路のオン／オフを制御することを特徴とする請求項１に記載の照明制御装置。
【請求項３】
前記中央制御装置は、指定された前記複数のＬＥＤ器具を消灯する場合に、０％の調光度を示す制御データを伝送し、指定された前記複数のＬＥＤ器具の調光度を０％にした後に、前記複数のＬＥＤ器具の各電源回路をオフさせるための電源制御データを対応する前記電源制御端末器に伝送してオフさせることを特徴とする請求項１又は請求項２に記載の照明制御システム。
【請求項４】
前記ＬＥＤ器具の前記調光回路と、前記電源制御端末器とは、別の電源部から電力がそれぞれ供給されるように構成したことを特徴とする請求項１から請求項３のいずれか１項に記載の照明制御システム。
【発明の詳細な説明】
【技術分野】
【０００１】
本発明の実施形態は、例えば、建物内の天井面に配設された複数の照明器具を遠隔制御する照明制御システムに関する。
【背景技術】
【０００２】
従来より、例えば、オフィスビルや各種施設などでは、各フロアや各エリアなどの照明エリア毎に設置される照明器具などの照明負荷を遠隔制御する照明制御システムが採用されている。
【０００３】
このような照明制御システムには、照明制御装置である中央処理装置に２線式の伝送ラインを介して複数の照明用機器が通信可能に接続され、各照明用機器は、中央処理装置からブロードキャストで供給される各種制御信号によって制御されるものがある。
【０００４】
この種の照明制御システムにおいて、照明用機器が例えば、発光ダイオード（Light Emitting Diode：以下、ＬＥＤと記載）の発光素子を光源として用いたＬＥＤ器具である場合がある。このＬＥＤ器具は、供給された制御信号に基づき、指定された調光度に対応する駆動制御信号を出力する調光回路と、この調光回路からの駆動制御信号に基づきＬＥＤに駆動電圧を印加するための電源回路とを有して構成される。また、ＬＥＤ器具毎に、リレーなどの電源制御端末器によって電源回路がオン／オフ制御される。
【０００５】
そして、中央処理装置は、例えば、壁スイッチによる操作信号に基づき、指定されたアドレスのＬＥＤ器具に対して前記制御信号を送信し、あるいはこの指定されたＬＥＤ器具に対応する電源制御端末器に対して電源制御コマンドを送信する。
【先行技術文献】
【特許文献】
【０００６】
【非特許文献１】東芝ライテック株式会社著「施設・屋外照明カタログ２０１０〜２０１１、照明器具個別システム、Ｔ／ＦｌｅｃＳ（ティーフレックス）P780〜P787」
【発明の概要】
【発明が解決しようとする課題】
【０００７】
ＬＥＤ器具は、他の照明光源を有する照明用機器と比べて、電源投入時の突入電流の値が高いといった特性を有する。このため、ＬＥＤ器具が例えば１００個〜２００個設置された規模の大きな従来の照明制御システムでは、点灯時には指定された複数のＬＥＤ器具に対応する電源制御端末器に対し電源制御コマンドがブロードキャストで伝送されて一斉に指定されたＬＥＤ器具の点灯制御が行われた場合、そのときに発生する大きな突入電流の影響により電源ラインの安全装置が働き、複数のＬＥＤ器具の点灯動作に影響が生じる虞れがあった。
【０００８】
そこで、本実施形態はこのような問題に鑑みてなされたもので、点灯時における突入電流による影響を軽減して、ＬＥＤ器具の点灯動作の安定化を図ることのできる照明制御システムを提供することを目的とする。
【課題を解決するための手段】
【０００９】
実施形態の照明制御システムは、伝送ラインに接続され、この伝送ラインを介して伝送された制御データに基づきＬＥＤ光源の照明度が制御される、アドレスが割り振られた照明用器具であって、供給された制御データに基づき指定された調光度に対応する駆動制御信号を出力する調光回路と、この調光回路からの駆動制御信号に基づき前記ＬＥＤ光源に駆動電圧を印加するための電源回路とを有する複数のＬＥＤ器具と；アドレスが割り振られて前記伝送ラインに接続され、前記伝送ラインを介して伝送された電源制御データに基づき前記電源回路のオン／オフを制御するための複数の電源制御端末器と；前記複数のＬＥＤ器具及び前記複数の電源制御端末器と前記伝送ラインを介して通信を行うことにより前記複数のＬＥＤ器具及び前記複数の電源制御端末器を制御するものであって、前記複数のＬＥＤ器具中の２以上のＬＥＤ器具に対して点灯の指示があったとき、前記２以上のＬＥＤ器具に対応する複数の電源制御端末器に対する前記電源制御データを所定時間遅らせて順次伝送するように制御する中央制御装置と；を具備している。
【発明の効果】
【００１０】
実施形態に係る照明制御システムによれば、点灯時における突入電流による影響を軽減して、ＬＥＤ器具の点灯動作の安定化を図ることができる。
【図面の簡単な説明】
【００１１】
【図１】実施形態に係る照明制御システムの全体構成を示す構成図。
【図２】図１の照明エリア内のゾーン毎の天井面に配設された複数のＬＥＤ器具の一部のレイアウトの一例を示す平面図。
【図３】図１のスイッチの具体的な構成を示す構成図。
【図４】図１の中央制御装置からＬＥＤ器具に伝送される伝送フレームの構成を示す図。
【図５】図１の中央制御装置から電源制御端末器に伝送される伝送フレームの構成を示す図。
【図６】図２のゾーンＺ１に対応するＬＥＤ器具Ｌ１〜Ｌ４を点灯する場合の各電源制御端末器の制御状態を説明するためのタイミングチャート。
【図７】図１の中央制御装置による制御例を示すフローチャート。
【発明を実施するための最良の形態】
【００１２】
実施形態の照明制御システムは、伝送ラインに接続され、この伝送ラインを介して伝送された制御データに基づきＬＥＤ光源の照明度が制御される、アドレスが割り振られた照明用器具であって、供給された制御データに基づき指定された調光度に対応する駆動制御信号を出力する調光回路と、この調光回路からの駆動制御信号に基づき前記ＬＥＤ光源に駆動電圧を印加するための電源回路とを有する複数のＬＥＤ器具と；アドレスが割り振られて前記伝送ラインに接続され、前記伝送ラインを介して伝送された電源制御データに基づき前記電源回路のオン／オフを制御するための複数の電源制御端末器と；前記複数のＬＥＤ器具及び前記複数の電源制御端末器と前記伝送ラインを介して通信を行うことにより前記複数のＬＥＤ器具及び前記複数の電源制御端末器を制御するものであって、前記複数のＬＥＤ器具中の２以上のＬＥＤ器具に対して点灯の指示があったとき、前記２以上のＬＥＤ器具に対応する複数の電源制御端末器に対する前記電源制御データを所定時間遅らせて順次伝送するように制御する中央制御装置と；を具備している。
【００１３】
本発明及び以下の請求項の各発明に係わる実施形態において、特に限定しない限り、用語の定義及び技術的意味は次による。  
複数の電源制御端末器は、例えばリレーを用いて構成されたものであるが、このリレーに限定されるものではなく、例えばトランジスタ等のスイッチング素子を用いて構成しても良い。  
また、電源制御端末器は、１つのＬＥＤ機器毎に設けられて設置されるが、これに限定されるものではなく、複数のＬＥＤ機器に対して設けられても良い。
【００１４】
中央制御装置は、複数のＬＥＤ器具に対し、制御データを伝送フレームによって伝送する。この伝送フレームは、制御データの他、ＬＥＤ器具の点灯／消灯を制御する調光用コマンドデータ及びアドレスデータを含む。勿論、この伝送フレームは、これ以外の各種データを含むものであっても良い。
【００１５】
また、中央制御装置は、複数の電源制御端末器に対し、電源制御データを伝送フレームによって伝送する。この伝送フレームは、電源制御データの他、電源制御端末器のアドレスデータを含む。勿論、この伝送フレームも、これ以外の各種データを含むものであっても良い。
【００１６】
中央制御装置は、複数のＬＥＤ器具中の２以上のＬＥＤ器具に対して点灯の指示があったとき、２以上のＬＥＤ器具に対応する複数の電源制御端末器に対する電源制御データを所定時間遅らせて順次伝送するように制御するが、この所定時間は、予め設定された時間であり、必要に応じて適宜変更するように構成しても良い。
【００１７】
また、前記電源制御端末器は、複数の前記ＬＥＤ器具毎に設けられて、これら複数のＬＥＤ器具内の各前記電源回路のオン／オフを制御しても良い。
【００１８】
また、前記中央制御装置は、指定された前記複数のＬＥＤ器具を消灯する場合に、０％の調光度を示す制御データを伝送し、指定された前記複数のＬＥＤ器具の調光度を０％にした後に、前記複数のＬＥＤ器具の各電源回路をオフさせるための電源制御データを対応する前記電源制御端末器に伝送してオフしても良い。
【００１９】
０％の調光度を示す制御データとは、ＬＥＤ器具のＬＥＤ光源を０％の調光度、すなわち、オフさせるための制御データを意味する。
【００２０】
中央制御装置は、指定された前記複数のＬＥＤ器具の調光度を０％にした後に、前記複数のＬＥＤ器具の各電源回路をオフさせるための電源制御データを対応する前記電源制御端末器に伝送してオフさせることにより、オフしたＬＥＤ器具から０％の調光度を示す調光状態の監視データを中央制御装置に伝送すれば、中央制御装置側で、これら複数のＬＥＤ器具の調光状態を確実に監視することができる。
【００２１】
また、前記ＬＥＤ器具の前記調光回路と、前記電源制御端末器とは、別の電源部から電力がそれぞれ供給されるように構成してもよい。  
別の電源部とは、例えば、中央制御装置内に設けられた電源部と、この電源部とは異なる他の電源部とであることを意味している。
【００２２】
中央制御装置内に設けられた電源部は、伝送ラインを介して複数のＬＥＤ器具の各調光回路に電力を供給し、この電源部とは異なる他の電源部は、前記伝送ラインとは異なる電源供給線を介して複数の電源制御端末器に電力を供給するが、このような構成に限定されるものではない。このように別々の電源部から電力を供給する構成とすることにより、待機電力の省エネルギー化を図ることができる。
【００２３】
このような構成により、点灯時における突入電流による影響を軽減して、ＬＥＤ器具の点灯動作の安定化を図ることのできる照明制御システムの実現が可能となる。
【００２４】
（実施の形態）  
図１は、本実施形態に係る照明制御システムの全体構成を示す構成図である。  
図１に示す照明制御システム１は、例えば、オフィスビルや各種施設などの各フロアや各エリアなどの照明エリア毎に設置される照明器具を遠隔制御する中央制御装置２を有している。
【００２５】
図１において、この中央制御装置２には、２線式伝送線（以下、伝送ラインと称す）３を介して後述する複数のＬＥＤ器具Ｌ１、Ｌ２、Ｌ３、…Ｌｎ（ｎは整数）、複数のＬＥＤ器具に対して１つの電源制御端末器を有するＬＥＤ器具（以下、リレー付きＬＥＤ器具と称す）ＬＬ１、電源制御端末器である複数のリレーＲ１、Ｒ２、Ｒ３…Ｒｎ、リレーＲＲ、スイッチ（ＳＷ）４等が接続される。
【００２６】
また、複数のリレーＲ１、Ｒ２、Ｒ３、…Ｒｎ、及びリレー付きＬＥＤ器具ＬＬ１のリレーＲＲ（以下、１つのあるいは全てのリレーを指すときは、単にリレーＲと称す）には、電源用接続線５が接続され、この電源用接続線５は、電源部６に接続されている。すなわち、複数のリレーＲ１、Ｒ２、Ｒ３、…Ｒｎ、及びリレー付きＬＥＤ器具ＬＬ１のリレーＲＲには、電源部６からの電力が電源用接続線５を介して供給されるようになっている。
【００２７】
複数のＬＥＤ器具Ｌ、リレー付きＬＥＤ器具ＬＬ１、複数のリレーＲ、ＲＲ及びスイッチ４は、伝送ライン３を介して中央制御装置２によって制御される。すなわち、中央制御装置２は、本システムを統括的に制御する。  
なお、複数のＬＥＤ器具Ｌ、リレー付きＬＥＤ器具ＬＬ１、及び複数のリレーＲ、ＲＲには、予めアドレスが割り付けられている。
【００２８】
ＬＥＤ器具Ｌの構成を説明すると、このＬＥＤ器具Ｌは、中央制御装置２から伝送ライン３を介して伝送された制御データに基づきＬＥＤ光源の照明度が制御される照明用器具であって、調光回路Ｃと、電源回路Ｄと、ＬＥＤ光源とを有して構成される。
【００２９】
調光回路Ｃは、供給された制御データに基づき指定された調光度に対応する駆動制御信号を出力する。
【００３０】
電源回路Ｄは、この調光回路Ｃからの駆動制御信号に基づき前記ＬＥＤ光源に駆動電圧を印加する。この電源回路Ｄによる駆動電圧の印加により、ＬＥＤ光源は、指定された調光度で点灯することになる。
【００３１】
ここで、アドレス＃１のＬＥＤ器具をＬ１とすると、このＬＥＤ器具Ｌ１は、調光回路Ｃ１と、電源回路Ｄ１と、ＬＥＤ光源とを有する。また、アドレス＃２のＬＥＤ器具Ｌ２は、調光回路Ｃ２と、電源回路Ｄ２と、ＬＥＤ光源とを有し、さらに、アドレス＃３のＬＥＤ器具Ｌ３は、調光回路Ｃ３と、電源回路Ｄ３と、ＬＥＤ光源とを有している。このように、複数のＬＥＤ器具Ｌが伝送ライン３に接続されている。
【００３２】
また、リレーＲは、ＬＥＤ器具Ｌ毎に設けられている。このリレーＲは、一端が電源を受ける電源用接続線５に接続され、他端が対応するＬＥＤ器具Ｌ内の電源回路Ｄに接続されている。そして、リレーＲは、中央制御装置２から伝送ライン３を介して伝送された電源制御データに基づき、ＬＥＤ器具Ｌ内の電源回路Ｄへの電源供給のオン／オフを制御する。
【００３３】
ここで、リレーＲ１は、ＬＥＤ器具Ｌ１に対応する電源制御端末器であり、リレーＲ２は、ＬＥＤ器具Ｌ２に対応する電源制御端末器であり、リレーＲ３は、ＬＥＤ器具Ｌ３に対応する電源制御端末器である。このようにリレーＲは、ＬＥＤ器具Ｌに対応して設けられている。
【００３４】
本実施形態では、図１に示すように、リレー付きＬＥＤ器具ＬＬ１は、例えば、３つのＬＥＤ器具Ｌ１０〜１２と、１つのリレーＲＲとを有して構成される。このリレーＲＲも、前記リレーＲと同様に  電源用接続線５が接続されることにより、電源部６からの電力が電源用接続線５を介して供給されるようになっている。  
そして、リレーＲＲは、３つの電源回路Ｄ１０〜１２に夫々接続して、これら３つの電源回路Ｄ１０〜１２のオン／オフを制御する。すなわち、電源制御端末器であるリレーＲが、複数のＬＥＤ器具Ｌ毎に設けられて、これら複数のＬＥＤ器具Ｌ内の各前記電源回路Ｄへの電源供給のオン／オフを制御するようになっている。  
なお、図示していないが、前記リレー付きＬＥＤは、複数を設けられている。複数のリレー付きＬＥＤＬＬ１〜ＬＬｏ（ｏは整数）のそれぞれに含まれるＬＥＤ器具Ｌの数は、同じでも、互いに異なっていても良い。
【００３５】
スイッチ４は、例えば、壁スイッチとして構成されたもので、個別のＬＥＤ器具Ｌ又は複数のＬＥＤ器具Ｌの集合であるグループに対応したオン、オフスイッチを有しており、ユーザのスイッチ操作に基づいて、指定された１つ又は複数のＬＥＤ器具Ｌをオンにするかオフにするかのオンオフ制御信号を中央制御装置２に出力する。
【００３６】
スイッチ４の具体的な構成と、ＬＥＤ器具Ｌの具体的な配置構成について、図２及び図３を用いて説明する。図２は、図１の照明エリア内のゾーン毎の天井面に配設された、複数のＬＥＤ器具の一部のレイアウトの一例を示す平面図、図３は、図１のスイッチの具体的な構成を示す構成図である。
【００３７】
各ＬＥＤ器具Ｌには、予めアドレスが割り付けられており、図２に示すレイアウトでは、天井２０には、例えば４つのゾーンＺ１〜４に対してＬＥＤ器具Ｌ１〜Ｌ２５が設置されている。
【００３８】
例えば、ゾーンＺ１には、アドレス＃１〜４の４つのＬＥＤ器具Ｌ１〜Ｌ４が対応し、ゾーンＺ２には、アドレス＃５〜１０の６つのＬＥＤ器具Ｌ５〜Ｌ１０が対応している。また、ゾーンＺ３には、アドレス＃１１〜１６の６つのＬＥＤ器具Ｌ１１〜Ｌ１６が対応し、ゾーンＺ４には、アドレス＃１７〜２５の９つのＬＥＤ器具Ｌ１７〜Ｌ２５が対応している。なお、符号ＡＬは、全てのゾーンＺ１〜Ｚ４におけるＬＥＤ器具Ｌを一括して指定するための全体エリアを示している。  
なお、図２に示すようなＬＥＤ器具Ｌのレイアウトに限定されるものではなく、各フロアや照明エリアに応じて各ゾーンの組合せは適宜変更可能である。
【００３９】
このようなＬＥＤ器具ＬのゾーンＺのレイアウトに合わせて、スイッチ４は、例えば、図３に示すように、各種オン、オフスイッチを有して構成されている。  
図３に示す構成では、スイッチ４は、スイッチ本体上に、各アドレス＃のＬＥＤ器具Ｌ１〜Ｌｎ及び各リレー付きＬＥＤＬＬ１〜ＬＬｏに対応するオン、オフスイッチを有する個別スイッチ群１０と、この個別スイッチ群１０の下側に、各ゾーンＺ１〜Ｚ４のＬＥＤ器具Ｌをゾーン毎に指定するための複数のゾーンスイッチを有するゾーンスイッチ群１１と、全てゾーンＺ１〜Ｚ４、すなわち、全てのＬＥＤ器具Ｌを一括して点灯／消灯するための一括スイッチ１２とを有して構成される。  
なお、スイッチ４の構成は、図３に示す構成に限定されるものではない。また、スイッチ４は、押圧式の複数のスイッチ群を設けて構成した場合について説明したが、タッチパネル式のスイッチで構成しても良い。
【００４０】
このような照明システム１では、中央制御装置２が、複数のＬＥＤ器具Ｌ及び複数のリレーＲと伝送ライン３を介して通信を行うことにより、中央制御装置２は、複数のＬＥＤ器具及び複数のリレーＲを統合的に管理して、これら複数のＬＥＤ器具Ｌの点灯制御、調光制御が可能である。
【００４１】
具体的には、中央制御装置２は、図示はしないがＣＰＵ、ＲＡＭ、ＲＯＭを有して構成される。  
ＲＯＭは、制御手段であるＣＰＵがスイッチ４の操作に基づきＬＥＤ器具を調光制御するのに必要なプログラムや、ＬＥＤ器具Ｌに制御データを出力したり動作状態を監視したりするのに必要なプログラム等を格納している。
【００４２】
ＣＰＵは、ＲＯＭに格納された所定のプログラムを実行することで、照明制御システム１全体の調光制御を行ったり、後述するが制御データを所定の伝送フレームでＬＥＤ器具Ｌに伝送して該ＬＥＤ器具Ｌを調光制御したり、電源制御データを所定の伝送フレームで電源制御端末機器であるリレーＲに伝送して電源制御したりする。
【００４３】
ＲＡＭは、ＣＰＵにより実行されるプログラム、生成された伝送フレーム、スイッチ４とＬＥＤ器具Ｌ及びリレーＲとの対応関係（割り付け）情報、等を一時的に記憶する作業用の記憶領域を構成する。
【００４４】
本実施形態の照明制御システム１において、中央制御装置２のＣＰＵは、複数のリレーＲの内、指定されたリレーＲに対して電源制御データを所定時間遅らせて順次伝送するように制御する。
【００４５】
中央制御装置２から伝送される伝送フレームの構成を図４及び図５に示す。図４は、図１の中央制御装置２からＬＥＤ器具Ｌに伝送される伝送フレームの構成を示す図であり、図５は、図１の中央制御装置２からリレーＲに伝送される伝送フレームの構成を示す図である。
【００４６】
図４に示す伝送フレーム３０は、中央制御装置２からＬＥＤ器具Ｌに向けて伝送されるものである。具体的には、この伝送フレーム３０は、例えば、アドレスデータ３０ａ、調光コマンドデータ３０ｂ、ＬＥＤ器具Ｌの調光度を示す制御データ３０ｃを順番に並べて構成されたフォーマットを有する。  
アドレスデータ３０ａは、例えば、複数のＬＥＤ器具Ｌの内、制御するＬＥＤ器具Ｌや、スイッチ４に割り付けられたアドレスデータである。調光コマンドデータ３０ｂは、指定されたＬＥＤ器具Ｌの点灯指示或いは消灯指示を示すデータである。制御データ３０ｃは、アドレスに対応するＬＥＤ器具Ｌに伝送する制御データであって、該ＬＥＤ器具Ｌ内の調光回路Ｃに供給してＬＥＤ光源の調光度を制御するための制御データである。
【００４７】
また、図５に示す伝送フレーム４０は、中央制御装置２からリレーＲに向けて伝送されるものである。具体的には、この伝送フレーム４０は、例えば、アドレスデータ４０ａ、電源制御コマンドデータ４０ｂを順番に並べて構成されたフォーマットを有する。  
アドレスデータ４０ａは、例えば、複数のリレーＲの内、制御するリレーＲや、スイッチ４に割り付けられたアドレスデータである。電源制御コマンドデータ４０ｂは、指定されたリレーＲをオン又はオフするためのデータである。
【００４８】
図６は、このような図４及び図５に示す伝送パケットを伝送して、例えば、図２のゾーンＺ１に対応するＬＥＤ器具Ｌ１〜Ｌ４を点灯する場合の各電源制御端末器の制御状態を説明するためのタイミングチャートを示している。  
例えば、ユーザにより、スイッチ４のゾーンスイッチ群１１の内、ゾーンＺ１のスイッチ操作があったとすると、中央制御装置２のＣＰＵは、図２に示すゾーンＺ１に対応するＬＥＤ器具Ｌ１〜Ｌ４及びリレーＲ１〜Ｒ４に対して、図４に示す伝送フレーム３０及び図５に示す伝送フレーム４０を、所定時間ｔｔ遅らせて順次伝送するように制御する。
【００４９】
この場合、図６に示すように、中央制御装置２のＣＰＵは、ＬＥＤ器具Ｌ１及びリレーＲ１に対して伝送フレーム３０、４０を時刻ｔ１で伝送したとすると、次のアドレス＃のＬＥＤ器具Ｌ２及びリレーＲ２に対しては伝送フレーム３０、４０を時刻ｔ１より所定時間ｔｔだけ経過した時刻ｔ２に伝送し、その後、次のアドレス＃のＬＥＤ器具Ｌ３及びリレーＲ３に対して時刻ｔ２より所定時間ｔｔだけ遅らせた時刻ｔ３に伝送フレーム３０、４０を伝送する。その後、ＣＰＵは、次のアドレス＃のＬＥＤ器具Ｌ４及びリレーＲ４に対して時刻ｔ３より所定時間ｔｔだけ遅らせた時刻ｔ４に伝送フレーム３０、４０を伝送する。
【００５０】
このように、中央制御装置２のＣＰＵによる伝送制御により、図６に示すように、リレーＲ１は時刻ｔ１でオンし、リレーＲ２は時刻ｔ２でオンし、リレーＲ３は時刻ｔ３でオンし、さらにリレーＲ４は時刻ｔ４でオンする。すなわち、ゾーンＺ１で指定された各リレーＲ１〜Ｒ４を所定時間ｔｔ遅らせて順次オンさせることができる。  
なお、前記所定時間ｔｔは、予め設定された時間であり、必要に応じて適宜設定変更可能である。
【００５１】
次に、本実施の形態の照明制御システムの作用について図７を用いて説明する。図７は、図１の中央制御装置のＣＰＵにおける制御例を示すフローチャートである。
【００５２】
本実施形態の照明制御システム１の電源を投入したとする。すると、中央制御装置２のＣＰＵは、ＲＯＭから図７に示す処理を実行するプログラムを読み出して実行する。なお、このプログラムは、スイッチ４にユーザによる操作があった場合に実行されるプログラムである。
【００５３】
すなわち、ユーザによりスイッチ４への操作があると、ＣＰＵは、ステップＳ１の処理により、スイッチ４による操作が個別スイッチ（図３に示すスイッチ群１０）であるか否かを判断し、個別スイッチである場合には処理をステップＳ２に移行し、そうでない場合にはステップＳ４に処理を移行する。
【００５４】
ステップＳ２の処理では、ＣＰＵは、スイッチ４からの操作信号に基づき、指定された個別ＬＥＤ器具Ｌの調光コマンドデータ３０ｂ、アドレスデータ３０ａ及び制御データ３０ｃを含む伝送フレーム３０（図４参照）を生成し、伝送ライン３を介して対応するＬＥＤ器具Ｌに送信する。
【００５５】
その後、ＣＰＵは、続くステップＳ３の処理で、指定された個別ＬＥＤ器具Ｌに対応するリレーＲの電源制御コマンドデータ４０ｂ及びアドレスデータ４０ａを含む伝送フレーム４０（図５参照）を生成し、伝送ライン３を介して対応するリレーＲに送信して、プログラムを終了させる。
【００５６】
一方、ステップＳ１の判断処理で、個別スイッチではないスイッチが操作された場合には、ＣＰＵは、ステップＳ４の判断処理により、その操作されたスイッチがグループスイッチ、すなわち、ゾーンスイッチ群１１のスイッチであるか否かを判断する。この場合、ゾーンスイッチ群１１のスイッチである場合には処理をステップＳ５に移行し、そうではない場合には処理をステップＳ１２に移行する。
【００５７】
ゾーンスイッチ群１１のスイッチである場合、ＣＰＵは、ステップＳ５により、ＬＥＤ器具Ｌのアドレス＃ｉを１に設定した後に、処理をステップＳ６に移行する。ここで、アドレス＃ｉ（＝１）は、そのゾーンスイッチ群１１の中で指定されたゾーン内に含まれる最初のＬＥＤ器具Ｌのアドレスを意味する。なお、ゾーンＺ１の場合、アドレス＃ｉを１に設定した場合、ＬＥＤ器具Ｌ１となり、また、ゾーンＺ３の場合、アドレス＃ｉを１１に設定した場合、ＬＥＤ器具Ｌ１１となる。
【００５８】
そして、ステップＳ６の処理で、ＣＰＵは、指定されたグループ内のＬＥＤ器具ｉへの調光コマンドデータ３０ｂ、アドレスデータ３０ａ及び制御データ３０ｃを含む伝送フレーム３０（図４参照）を生成し、処理をステップＳ７に移行する。
【００５９】
ステップＳ７の処理では、ＣＰＵは、指定されたグループ内のＬＥＤ器具に対応するリレーＲへの電源制御コマンドデータ４０ｂ及びアドレスデータ４０ａを含む伝送フレーム４０（図５参照）を生成し、処理をステップＳ８に移行する。
【００６０】
ステップＳ８の処理では、ＣＰＵは、ステップＳ７及びステップＳ８により生成された調光コマンドデータ３０ｂを含む伝送フレーム３０と、電源制御コマンドデータ４０ｂを含む伝送フレーム４０とを、伝送ライン３を介して指定されたＬＥＤ器具ｉ及び対応するリレーＲに送信し、処理をステップＳ９の判断処理に移行する。
【００６１】
ステップＳ９の判断処理では、ＣＰＵは、指定されたグループ内の全てのＬＥＤ器具及びリレーＲに対して伝送パケット３０、４０を送信したか否かを判断し、送信した場合にはプログラムを終了させ、そうでない場合には、続くステップＳ１０にて所定時間ｔｔ待ち、そして、ステップＳ１１の処理で、次のＬＥＤ器具Ｌのアドレス＃ｉに１を加算した後に前記ステップＳ６に処理を戻す。よって、ゾーンスイッチ群１１の中で指定されたゾーン内に含まれる最初のＬＥＤ器具Ｌの次のアドレスのＬＥＤ器具のアドレスが指定される。
【００６２】
すなわち、ステップＳ６〜ステップＳ１１の処理を繰り返して実行することにより、指定されたグループ内のＬＥＤ器具Ｌ及びリレーＲに対して、アドレス＃毎に順次所定時間ｔｔ遅れて伝送パケット３０、４０が送信されることになる。例えば、ゾーンＺ１に対応するＬＥＤ器具Ｌ１〜Ｌ４を点灯する場合は、図６に示したように、４つのＬＥＤ器具Ｌが、互いに所定時間ｔｔだけ時間間隔をもって点灯する。
【００６３】
これにより、指定されたグループ内のＬＥＤ器具Ｌを点灯する場合に、アドレス＃順に所定時間ｔｔずつ遅れてリレーＲに電源制御コマンドが伝送されることにより、これら指定されたグループ内のＬＥＤ器具Ｌに対応するリレーＲが順次オンすることになる。このため、ＬＥＤ器具Ｌの突入電流による影響を軽減することができるので、電源ラインの安全装置が働くことなく、安定したＬＥＤ器具の点灯動作を行うことができる。
【００６４】
一方、前記ステップＳ４の判断処理で、ゾーンスイッチ群１１のスイッチでないと判断した場合（すなわち、一括スイッチ１２が操作された場合）、ＣＰＵは、ステップＳ１２により、前記ステップＳ５と同様に、ＬＥＤ器具Ｌのアドレス＃を１に設定して処理をステップＳ１３に移行する。
【００６５】
そして、ステップＳ１３の処理で、ＣＰＵは、ＬＥＤ器具Ｌｉへの調光コマンドデータ３０ｂ、アドレスデータ３０ａ及び制御データ３０ｃを含む伝送フレーム３０（図４参照）を生成し、処理をステップＳ１４に移行する。
【００６６】
ステップＳ１４の処理では、ＣＰＵは、ＬＥＤ器具Ｌｉに対応するリレーＲへの電源制御コマンドデータ４０ｂ及びアドレスデータ４０ａを含む伝送フレーム４０（図５参照）を生成し、処理をステップＳ１５に移行する。
【００６７】
ステップＳ１５の処理では、ＣＰＵは、ステップＳ１３及びステップＳ１４により生成された調光コマンドデータ３０ｂを含む伝送フレーム３０と、電源制御コマンドデータ４０ｂを含む伝送フレーム４０とを、伝送ライン３を介してＬＥＤ器具Ｌｉ及び対応するリレーＲに送信し、処理をステップＳ１６の判断処理に移行する。
【００６８】
ステップＳ１６の判断処理では、ＣＰＵは、全てのＬＥＤ器具及びリレーＲに対して伝送パケット３０、４０を送信したか否かを判断し、送信した場合には処理を終了させ、そうでない場合には、続くステップＳ１７にて所定時間ｔｔ待ち、そして、ステップＳ１８の処理で、次のＬＥＤ器具Ｌのアドレス＃ｉに１を加算した後、前記ステップＳ１３に処理を戻す。
【００６９】
すなわち、ステップＳ１３〜ステップＳ１８の処理を繰り替えして実行することにより、一括スイッチ１２により操作された全てのＬＥＤ器具Ｌ及びリレーＲに対して、アドレス＃毎に順次所定時間ｔｔ遅れて伝送パケット３０、４０が送信されることになる。
【００７０】
これにより、全てのＬＥＤ器具Ｌを一斉に点灯する場合に、アドレス＃順に所定時間ｔｔずつ遅れてリレーＲに電源制御コマンドが伝送されることにより、これら全てＬＥＤ器具Ｌに対応するリレーＲが順次オンすることになる。このため、ＬＥＤ器具Ｌの突入電流による影響を軽減することができるので、電源ラインの安全装置が働くことなく、安定したＬＥＤ器具の点灯動作を行うことができる。
【００７１】
なお、ステップＳ１０及びステップＳ１７により所定時間ｔｔを待つ手段としては、例えば、中央制御装置２内にタイマーカウンタを設け、このタイマーカウンタによるカウントをＣＰＵによって認識する構成とすれば良い。
【００７２】
また、前記ＣＰＵによる制御例では、調光コマンドデータ３０ｂを含む伝送フレーム３０と電源制御コマンドデータ４０ｂを含む伝送フレーム４０との生成は、指定されたＬＥＤ器具Ｌ及びリレーＲのアドレス＃毎に順次生成して送信するように説明したが、これに限定されるものではない。例えば、一度に全てのＬＥＤ器具Ｌ及びリレーＲの、調光コマンドデータ３０ｂを含む伝送フレーム３０と電源制御コマンドデータ４０ｂを含む伝送フレーム４０とを生成し、各伝送フレーム３０、と４０を所定時間ｔｔずつずらして送信するようにしても良い。  
さらになお、調光コマンドデータ３０ｂを含む伝送フレーム３０については対応するＬＥＤ器具Ｌに対してブロードキャストで一斉に送信し、電源制御コマンドデータ４０ｂを含む伝送フレーム４０については、対応するリレーＲに対して所定期間ｔｔ遅らせて順次送信するようにしてもよい。
【００７３】
また、本実施形態において、中央制御装置２のＣＰＵは、指定された複数のＬＥＤ器具Ｌを消灯する場合に、０％の調光度を示す制御データを伝送し、指定された複数のＬＥＤ器具の調光度を０％にした後に、複数のＬＥＤ器具Ｌの各電源回路をオフさせるための電源制御データを対応するリレーＲに伝送してオフさせるように制御する。  
これにより、ＬＥＤ器具Ｌと中央制御装置２とが通信を行う場合に、オフしたＬＥＤ器具Ｌから０％の調光度を示す調光状態の監視データを中央制御装置２に伝送することができるので、中央制御装置２は、これら複数のＬＥＤ器具の調光状態を確実に監視することができる。
【００７４】
また、本実施形態において、中央制御装置２内部の図示しない電源部から、伝送ライン３を介して複数のＬＥＤ器具Ｌに対して電力を供給する構成であるが、複数のリレーＲには、この中央処理装置２内の電源部とは別の電源部６（図１参照）から電源用接続線５を介して電力がそれぞれ供給されるように構成されている。  
これにより、ＬＥＤ器具Ｌが点灯時のみに内部の電源回路Ｄに電力が供給されるため、待機電力の省エネルギー化を図ることができる。
【００７５】
従って、本実施形態によれば、点灯時における突入電流による影響を軽減して、ＬＥＤ器具の点灯動作の安定化を図ることができる照明制御システムの実現が可能となる。
【００７６】
本発明は、上述した実施形態及び変形例に限定されるものではなく、本発明の要旨を変えない範囲において、種々の変更、改変等が可能である。
【符号の説明】
【００７７】
１…照明制御システム、
２…中央処理装置、
３…伝送ライン、
４…スイッチ、
５…電源用接続線、
６…電源部、
３０…伝送フレーム、
３０ａ…アドレスデータ、
３０ｂ…調光コマンドデータ、
３０ｃ…制御データ、
４０…伝送フレーム、
４０ａ…アドレスデータ、
４０ｂ…電源制御コマンドデータ、
Ｌ…ＬＥＤ器具、
ＬＬ１…電源制御端末器付きＬＥＤ器具、
Ｒ…リレー（電源制御端末器）。
【図１】
2012160402.tif 000003
【図２】
2012160402.tif 000004
【図３】
2012160402.tif 000005
【図４】
2012160402.tif 000006
【図５】
2012160402.tif 000007
【図６】
2012160402.tif 000008
【図７】
2012160402.tif 000009